(57)【要約】  作製された多層飲料容器が開示される。外側層は、内側層を包囲し、内側層は、密封された飲料容器内の飲料の温度変化によって引き起こされる飲料容器内部の飲料の容積変化に適応するように、収縮又は屈曲するように構成されている。内側層は、飲料容器の大部分を通して外側層に取り付けられず、取り付けゾーンは、外側層の選択された領域に位置する。内側層と外側層との間に空間が存在する。ガス導入システムは、空間内に提供され、空間内の所望のガス圧力を維持する。設定されたガス圧力は、外側層が、飲料の変化する容積に起因する減圧によって引き起こされる変形に抵抗する必要なく設計されることを可能にする。
2021533039.tif 000002
【特許請求の範囲】
【請求項１】
ボトル入り飲料であって、
ボトルであって、
首部と、
基部と、
プラスチック外側層と、
前記外側層の内側に配設されたプラスチック内側層であって、前記内側層が、前記首部において前記外側層に接触する、プラスチック内側層と、を含む、ボトルと、
前記外側層と前記内側層との間に配設された空間と、
前記内側層内に密封された飲料と、を含み、
前記内側層が、前記外側層に向かって付勢されており、
前記内側層の少なくとも一部分が、前記内側層が密封される間に、前記外側層から分離される、ボトル入り飲料。
【請求項２】
前記内側層が、前記外側層とは独立して変形するように構成されており、
前記飲料が前記内側層内に密封される間に、前記飲料の容積の低減に応答して、前記内側層が、前記外側層から離れて移動して、前記内側層の内部容積を変化させる、請求項１に記載のボトル入り飲料。
【請求項３】
前記外側層の形状が、前記飲料の容積の低減に応答して変化しない、請求項２に記載のボトル入り飲料。
【請求項４】
前記外側層が、円筒形であり、リブ又はパネルを有しない、請求項１に記載のボトル入り飲料。
【請求項５】
前記内側層が、前記内側層内の前記飲料を密封するシールが破断されると、前記外側層に向かって移動するように構成されている、請求項１に記載のボトル入り飲料。
【請求項６】
前記内側層の前記内部容積が、前記飲料が前記ボトルから放出される際に、容積が減少しない、請求項１に記載のボトル入り飲料。
【請求項７】
前記内側層及び前記外側層が、前記首部と前記基部との間に対応する形状を有する、請求項１に記載のボトル入り飲料。
【請求項８】
前記内側層がまた、前記基部において、前記外側層に取り付けられている、請求項１に記載のボトル入り飲料。
【請求項９】
前記外側層と前記内側層との間の前記空間と流体連通しているガス導入機構を更に含む、請求項１に記載のボトル入り飲料。
【請求項１０】
前記ガス導入機構が、前記外側層と前記内側層との間の前記空間内の圧力が、前記外側層の外側の圧力と等しくなることを可能にする、前記外側層内の通気開口部を含む、請求項９に記載のボトル入り飲料。
【請求項１１】
前記通気開口部が、前記基部内に配設されている、請求項１０に記載のボトル入り飲料。
【請求項１２】
前記通気開口部が、破断開口して、設定された圧力差のときに、前記外側層の外側の前記圧力で、前記外側層と前記内側層との間の前記空間を流体接続するように構成されている、請求項１１に記載のボトル入り飲料。
【請求項１３】
前記内側層が、前記内側層の内面上に形成された垂直に配向されたリブを含み、前記リブが、リブ間の前記内側層の変形を促進するように構成されている、請求項１に記載のボトル入り飲料。
【請求項１４】
前記内側層が、前記リブのうちの少なくとも４つを含み、前記リブが、前記ボトルの長手方向中心軸の周囲に均等に離間配置されている、請求項１３に記載のボトル入り飲料。
【請求項１５】
飲料ボトルであって、
飲料ボトル壁であって、前記壁が、プラスチックの層で形成されている、飲料ボトル壁を含み、
前記飲料ボトルの本体部分において、最内側層の外側表面が、前記層のうちの最外側層の内側表面と同じ形状を有し、
前記最内側層が、前記本体部分において、前記最外側層から離れるように移動して、前記飲料ボトルの内部容積を、前記飲料ボトルが密封された後の、前記内側層内に配設された冷却飲料の容積変化に適合させるように構成されている、飲料ボトル。
【請求項１６】
前記最外側層が、前記最内側層が前記最外側層から離れるように移動する間、その形状を維持するように構成されている、請求項１５に記載の飲料ボトル。
【請求項１７】
前記層のうちの最内側層が、その内側表面上に形成されたリブを有し、前記最内側層の前記リブが、隣接するリブ間の前記最内側層の部分において、前記最外側層から離れる前記最内側層の動きを集中させるように構成されている、請求項１５に記載の飲料ボトル。
【請求項１８】
前記最内側層と前記最外側層との間の空間が、前記最内側層が前記最外側層から離れて移動するときに増加し、
前記飲料ボトルが、前記最外側層と前記最内側層との間の前記空間と流体連通しているガス導入機構を更に含み、前記ガス導入機構が、前記最内側層内の容積の変化に応答して、前記空間にガスを供給するように構成されている、請求項１７に記載の飲料ボトル。
【請求項１９】
前記ガス導入機構が、前記最外側層と前記最内側層との間の前記空間内の圧力が、前記最外側層の外側の圧力と等しくなることを可能にする、前記飲料ボトル壁内の通気開口部を含む、請求項１８に記載の飲料ボトル。
【請求項２０】
前記最外側層が、補強バンドを含み、それは、前記最外側層の残部の厚さと比較して、より厚い厚さの区域であり、前記補強バンドが、前記本体部分に形成され、飲料容器の高さの一定割合を占める、請求項１５に記載の飲料ボトル。
【請求項２１】
冷却中に飲料容器の変形を制御する方法であって、飲料容器を高温飲料で充填することであって、前記飲料容器が、互いに接触している層で形成された壁を含む、充填することと、
前記飲料容器を密封することと、
前記飲料が冷却することを可能にすることであって、前記飲料が、冷却時に熱収縮を受ける、冷却することを可能にすることと、を含み、
前記層のうちの最内側層が、前記層のうちの最外側層から離れて内側に移動するように、前記層のうちの少なくとも２つが、互いに分離して、前記飲料の前記熱収縮に応答して、前記飲料容器の内部容積を低減する、方法。
【請求項２２】
前記少なくとも２つの層の前記分離によって作り出される、前記内側層と前記外側層との間の空間に、ガスの供給を提供することを更に含む、請求項２１に記載の方法。
【発明の詳細な説明】
【技術分野】
【０００１】
記載される実施形態は、概して、複数の材料層から構築されている飲料容器に関する。
【発明の概要】
【０００２】
例示的な実施形態は、プラスチックから作製された外側層を含む、首部及び基部を有するボトルである。内側層は、外側層の内側に位置し、首部において、外側層と接触する。内側層は、例えば内部容積内の飲料冷却による、内部容積の変化に適応するように、収縮又は屈曲するプラスチック材料から作製されている。内側層は、外側壁から分離するか、又は別の方法で離れて移動して、容積の変化に適応し得る。例えば、外側殻と内側層との間には、空間が存在し得る。空気などのガスは、外側層と内側層との間の空間を占有し得る。ガスは、ボトルの周囲の大気から吸い込まれてもよいか、又は、例えば、外側層と内側層との間の空間と流体接続しているガス導入システムによって、外側層と内側層との間に生成され得る。
【図面の簡単な説明】
【０００３】
添付図面は、本発明に組み込まれ、本明細書の一部を形成し、本発明の実施形態を例示し、本説明と一緒に、更に本発明の原理を説明し、かつ当業者（複数可）が本発明を作製し、使用することを可能にする役割を果たす。
【０００４】
【図１】一実施形態による、飲料容器の正面図である。
【０００５】
【図２】飲料容器の壁構造を示す、飲料を有する、図１の飲料容器の正面図である。
【０００６】
【図３】図１の飲料容器の切欠図である。
【０００７】
【図４】図３の線４−４に沿った、図１の飲料容器の断面図であり、充填前構成を示す。
【０００８】
【図５】図３の線４−４に沿った、図１の飲料容器の断面図であり、充填後構成を示す。
【０００９】
【図６】一実施形態による、飲料容器の切欠図である。
【００１０】
【図７】一実施形態による、飲料容器の正面図である。
【００１１】
【図８】飲料容器の代替又は追加の壁構造を示す、飲料を有する、図１の飲料容器の正面図である。
【００１２】
【図９】飲料容器を形成するためのプリフォームの断面図である。
【００１３】
【図１０Ａ】図９の内側プリフォームの上面図である。
【００１４】
【図１０Ｂ】図９の外側プリフォームの上面図である。
【００１５】
【図１１】組み立て後の図９のプリフォームの上部の断面図である。
【００１６】
【図１２】飲料容器の代替又は追加の壁構造を示す、飲料を有する、図１の飲料容器の正面図である。
【発明を実施するための形態】
【００１７】
以降、添付図面に例示されるような本発明の実施形態を参照して、本発明（複数可）を詳細に説明する。「１つの実施形態」、「一実施形態」、「例示的な実施形態」などの言及は、記載された実施形態が特定の特徴、構造、又は特性を含み得るが、全ての実施形態が特定の特徴、構造、又は特性を必ずしも含むわけではないことを示す。更に、このような句は、必ずしも同じ実施形態を言及するものではない。更に、特定の特徴、構造、又は特性が実施形態と関連して記載される場合、明確に記載されているかどうかに関わりなく、他の実施形態と関連するこのような特徴、構造、又は特性への影響は、当業者の知見内であるものとする。
【００１８】
ポリエチレンテレフタレート（「ＰＥＴ」）などの材料から作製された、ボトルなどのプラスチック飲料容器は、飲料産業において、飲料を包装するために広く使用されている。ＰＥＴボトルは、他のプラスチック材料、及びガラス又はアルミニウムなどの材料から作製されたボトルに対する低コスト及び軽量の代替物である。多くの飲料は、上昇した温度でボトルに充填される。この慣行は、「ホットフィル」として一般的に知られており、飲料の汚染を防止するために使用される。これは、飲料が、追加の滅菌を必要とせずに、ボトルに充填されることを可能にする。ボトルは、充填され、蓋を被せられた後、飲料は、上昇した充填温度から冷却される。飲料は、冷却すると、それに対応してボトル内の空気を冷却すると共に、容積の熱収縮を受ける。
【００１９】
ボトルは、冷却する間に、密封されるため、この容積の収縮に適応するために、ボトルの壁は、ボトルの内部の容積が、その内容物の容積の低減と共に低減するように変形し得る。
【００２０】
いくつかのボトルは、例えばリブ又は厚い壁を含むことによって、そのような変形に抵抗するように設計されてもよい。しかしながら、これは、実質的な追加材料及び付加コストを必要とすることがあり、ボトル内の相当な負圧をもたらし得る。いくつかのボトルは、ボトル内容物の熱収縮に付随する容積の内部低減に適応するように、内側に屈曲するように設計されている、可動壁及びパネルを伴って設計されてもよい。しかしながら、これは、ボトルの視覚的及び触覚的態様における望ましくない中断及び不規則な表面を必要とする場合がある。このような表面構造はまた、ユーザが圧搾するためのボトルを硬質又は扱いにくくし得、一部のユーザは、（例えば、再閉鎖可能な注ぎ口を通して）ボトルからの飲用を容易にするために圧搾したい場合がある。
【００２１】
しかしながら、本明細書に記載される実施形態は、容積の変化に抵抗することなく、ボトル内容物の熱収縮に付随する、ホットフィルボトルの容積の内部低減に適応する。得られたボトルは、外部の移動可能な壁及びパネルを必要とせず、飲料の熱収縮に起因して外部形状を変化させない。例えば、ボトルは、多層壁構造を含むことができ、ボトル壁のプラスチック内側層は、ボトル壁のプラスチック外側層から離れて、独立して移動して、ボトルの内部容積の変化に適応することができる。換言すれば、外側層と内側層との間に空間が存在してもよい。内側層は、収縮又は屈曲によって変形し、外側層から引き離れて、ボトルの内部容積が変化するが、外側層は、その形状を維持する。したがって、ボトルの外形は、その内容物の熱収縮の間中、一定のままであるが、内側層は、熱収縮に適応するように、収縮又は屈曲する。
【００２２】
図１及び図２は、充填前（図１）、並びにホットフィル充填、キャッピング、及び冷却プロセス後（図２）の飲料容器（ボトル１００）を示す。図１及び図２は、外側層１１２及び内側層１１４、並びに任意選択的に、例えば、ガスバリア層又は剥離層であり得る、例えば、中間層１１６などのいくつかの中間層を含む、ボトル１００の壁１１０の一部分の断面表現を含む。図１及び図２に示されるように、外側層１１２は、ボトル１００の形状及び外観を画定し、例えば、円筒形本体１２０、円形基部１２２、並びにテーパ状肩部１２４、及び開口部１２８を画定する首部１２６を伴って形成されてもよい。したがって、外側層１１２は、形状が概して円筒形状であってもよい。壁１１０の層１１２及び１１４は、例えばＰＥＴプラスチックで構築されてもよいが、例えば着色染料などの他のタイプのプラスチック及び添加剤もまた、層１１２及び１１４の材料の一部として含まれてもよい。
【００２３】
図１に示すように、ボトル１００が充填される前に、内側層１１４、外側層１１２、及び中間層１１６は一緒に、層状にされており、内側層１１４は、外側層１１２に向かって付勢されており、外側層１１２の形状に追従する。内側層１１４は、外側層１１２の内側に位置する。図２に示すように、ボトル１００が高温飲料１０で充填された後、開口部１２８は、キャップ１３０で蓋を被せられる。飲料１０は、冷却すると、熱収縮を受ける。キャップ１３０により、内側層１１４の内部容積２０に新たな物質が導入され得ないため、内部容積２０は、飲料１０と共に収縮する。そうすることで、内側層１１４は、外側層１１２から引き離れ、内側層１１４が密封されたまま、内側層１１４と外側層１１２との間に空間３０を作り出す。いくつかの実施形態では、図示されるように、中間層１１６は、内側層１１４に接続されたままであり、したがって、空間３０は、中間層１１６と外側層１１２との間に直接形成される。他の実施形態では、中間層１１６は、外側層１１４に接続されたままであってもよく、したがって、空間３０は、中間層１１６と内側層１１４との間に直接形成される。いくつかの実施形態では、構造的安定性を補助するために、中間層１１６は、ボトルのいくつかの部分にのみ存在するが、他の部分には存在しなくてもよい。他の実施形態では、中間層１１６は、存在しなくてもよく、空間３０は、内側層１１４と外側層１１２との間に直接形成される。
【００２４】
内側層１１４は、外側層１１２から分離し、離れて移動し、飲料１０の熱収縮に適応するように収縮、屈曲、又は別の方法で変形するため、外側層１１２は、飲料１０の熱収縮に起因して、形状を明らかに変形させないか、又は別の方法で変化させないため、ボトル１００は、その元の外観を維持する。飲料１０の熱収縮によるボトル１００内の容積低減の全ては、内側層１１４によって適応される。一実施形態では、内側層１１４は、飲料１０の熱収縮後であっても、首部１２６において、（例えば、中間層１１６を介して）外側層１１２に取り付けられたままである。いくつかの実施形態では、内側層１１４は、飲料１０の熱収縮後であっても、基部１２２において、（例えば、中間層１１６を介して）外側層１１２に取り付けられたままである。このような取り付けは、内側層１１４が外側層１１２から離れて移動した後に、外側層１１２内の内側層１１４の位置を維持するのに役立ち得る。以下で更に詳細に考察されるように、いくつかの実施形態では、様々な技術を使用して、内側層１１４が、外側層１１２から離れる制御された様式で（例えば、一様に、又は制御されたパターンで）収縮又は屈曲することを確実にし、内側層１１４の変形、及び内側層１１４の形状と外側層１１２の形状との間の対応又は相違を制御された状態にし得る。ボトル１００が、初めて開放され、内側層１１４の内部が、周囲圧力に曝されると、内側層１１４は、容積が膨張し、外側層１１２に向かって移動する。
【００２５】
このような取り付けは、例えば、ボトル１００が形成される際に、内側層１１４及び外側層１１２の厚さを制御することによって達成され得る。例えば、首部１２６及び基部１２２においてより厚い内側層１１４を形成することは、剛性を高めることができ、したがって、首部１２６及び基部１２２における内側層１１４が、変形しにくくなり、したがって、熱収縮を受けているときに、それらの位置において外側層１１２から分離しにくい。この場合、飲料１０の全ての熱収縮は、首部１２６と基部１２２との間の内側層１１４の部分によって適応される。いくつかの実施形態では、内側層１１４は、首部１２６において、外側層１１２に取り付けられたままであり、基部１２２において、取り付けられたままではなく、又は基部１２２において、取り付けられたままであり、首部１２６において、取り付けられたままではなく、又は首部１２６及び基部１２２の両方において、取り付けられたままである。空間３０は、外側層１１２と内側層１１４との間の空間である。空間３０は、外側層１１２と内側層１１４との間に均等に分配されてもよい。しかしながら、いくつかの実施形態及び状況では、空間３０は、必ずしも外側層１１２と内側層１１４との間に均等に分配されなくてもよい。例えば、ボトル１００が直立している場合、空間３０は、本体１２０の周囲で比較的均等であり得るが、ボトル１００が横になる場合には、空間は、上方に集中してもよく、なぜなら、飲料１０の重量が、ボトル１００の下方側の外側層１１２により近い内側層１１４に置かれ得るためである。空間３０は、ガスで充填されてもよい。いくつかの実施形態では、このガスは、酸素、窒素、及び微量ガスのブレンドである通常の空気であってもよい。他の実施形態では、空間３０は、窒素ガス、アルゴンガス、二酸化炭素ガス、又は任意の他の好適なガス若しくはガス混合物などの、他のガス又はガス混合物で充填されてもよい。
【００２６】
例えば、図１及び図２に示されるような三層壁において、空間３０は、層１１２、１１４、及び１１６のうちのいずれか２つの間に形成されて、外側層１１２を歪ませずに、したがってボトル１００の全体形状を歪ませることなく、熱収縮による内部容積２０の減少に適応し得る。例えば、いくつかの実施形態では、内側層１１２は、中間層１１６から分離してもよく、一方、中間層１１６は、内側層１１４のみが変形するように、外側層１１４に取り付けられたままである。いくつかの実施形態では、中間層１１６は、外側層１１２から分離してもよく、一方、中間層１１６は、中間層１１６及び内側層１１４の両方が変形するように、内側層１１４に取り付けられたままである。壁１１０は、説明を容易にするために三層で示され、説明されるが、本明細書に記載される原理は、任意の数の層を有するボトル壁に適用することができる。
【００２７】
上記のボトル１００のいくつかの利点は、ボトル１００が、外側層１１２内に任意のリブ又はパネルを含まない比較的薄い壁で設計され、飲料１０の熱収縮によるボトル１００内の容積及び／又は圧力低減によって引き起こされる変形に抵抗又は適応し得ることである。これらの実施形態の別の利点は、空間３０が、飲料容器１に絶縁特性を提供し得ることである。熱伝達は、空間３０にわたって低減され得、したがって、ボトル１００内のチルド飲料１０は、より遅い速度で外部温度と平衡に達する。上記実施形態の別の利点は、得られるボトル１００が消費者によって「圧搾可能」であり、圧搾中の消費者の手におけるボトル１００の審美性及び感触が、圧搾され得る通常のプラスチックボトルのものと比較すると改善されることである。これは、いくつかのプラスチックホットフィルボトルの変形を抑制又は制御するために使用される同じリブ、パネル、及び他の構造もまた、圧搾からの変形に抵抗する傾向があり、ユーザが圧搾するためのボトルを硬質及び扱いにくくし、しばしば、圧搾中に亀裂又はカサカサという音及び感触をもたらす。本明細書に記載されるボトル１００の実施形態は、滑らかな外部を有し、最小限の亀裂及びしわを有するか、又は亀裂及びしわがなく、かつ圧搾に対するより低い抵抗を有する。
【００２８】
上で考察されるように、内側層１１４が変形する場合に、外側層１１２、内側層１１４、及び中間層１１６のうちの２つの間の層間剥離が生じて、密封されたボトル１００内の冷却飲料１０の収縮に適応する。層間剥離を制御することは、様々な方法で達成することができる。例えば、一実施形態では、中間層１１６のうちの１つ以上は、内側層１１４の外側層１１２への取り付けを弱め、それによって、上記のように外側層１１２からの内側層１１４の剥離又は層間剥離を促進する剥離材料であってもよい。剥離材料中間層１１６は、外側層１１２と内側層１１４との間に共射出されてもよい（例えば、ボトル１００のプリフォームが作り出されているとき）。剥離材料の選択的射出を使用して、外側層１１２からの内側層１１４の層間剥離の位置を制御することができる。例えば、剥離材料中間層１１６は、円筒形本体１２０に限定されてもよく、これにより、ボトル１００のその区域で層間剥離が集中されることになる。
【００２９】
代替的に又は追加的に、層間剥離を促進するために、外側層１１２、内側層１１４、及び中間層１１６のうちの２つ以上は、互いに強い結合を形成しない材料から形成されてもよい。このような不適合な材料間の結合の弱さは、上記のように飲料１０が冷却及び収縮するときに層間剥離を促進する。ボトル１００内の不適合な材料の配置は、ボトル１００の様々な区域において、層間剥離を促進又は抑制するように変化させることができる。更に、本体全体にわたる、外側層１１２、内側層１１４、及び中間層１１６の厚さは、様々な位置において、層間剥離を促進又は抑制するように変化させることができる。上で考察されるように、より厚い層は、ボトル１００の内側と周囲の大気圧との間の圧力差によって引き起こされる内側の力に抵抗する。したがって、ボトル１００の壁のより厚い部分は、より小さく変形し、層間剥離に対してより抵抗性が高い。層のより薄い部分は、対照的に、より厚い部分よりも容易に層間剥離する傾向があり得る。そのため、例えば、肩部１２４よりも円筒形本体１２０においてより薄い内側層１１４を形成することにより、内側層１１４は、円筒形本体１２０において、外側層１１２から（中間層１１６の有無にかかわらず）層間剥離することができ、ボトル１００の肩部１２４において、層間剥離することができない。
【００３０】
代替的に又は追加的に、層間剥離を制御するために、内側層１１４は、１つ以上の垂直リブ１１５を含んでもよい（例えば、内側層１１４の内側表面上に）。図３に示すように、垂直リブ１１５は、垂直に配向（例えば、ボトル１００の長手方向軸の方向に整列）されてもよい。図４及び図５は、それぞれ、熱収縮前後のリブ１１５を有するボトル１００の水平断面図を示す。垂直リブ１１５は、内側層１１４の内側表面上に配設されてもよい。実施形態では、垂直リブ１１５は、内側層１１４の厚化された区域である。内側層１１４のより厚い部分（例えばリブ１１５）が、リブ間の内側層１１４のより薄い部分よりも小さく変形するため、リブ１１５における内側層１１４の厚さの増加は、リブ１１５における外側層１１２からの内側層１１４の層間剥離を低減する。その結果、内側層１１４と外側層１１２との間の層間剥離の領域が、リブ１１５間に形成され、リブ１１５によって分離される。したがって、リブ１１５は、リブ１１５間の領域における層１１４の層間剥離を促進するように機能する。これらの層間剥離の領域、又はリブ区画３２は、リブ１１５によって互いに隔離されてもよい。このようにして、空間３０、したがって内側層１１４と外側層１１２との間の容積差は、リブ区画３２に選択的に分配されてもよい。
【００３１】
実施形態では、リブ１１５は、内側層１１４の外周の周囲に均等に離間配置されてもよい（図４及び図５を参照）。結果は、ボトル１００の周囲のリブ区画３２における空間３０の均等な分配である。例えば、内側層１１４の外周の周囲に均等に離間配置された４〜８つのリブ１１５が存在してもよい（例えば、図４及び図５に示されるように、６つのリブ１１５）。実施形態では、リブ１１５は、内側層１１４の高さの５０％〜９０％延在してもよい。
【００３２】
垂直リブ１１５は、内側層１１４の変形を制御するための方法を提供するのに役立ち得る。例えば、内側層１１４の周囲の均等に離間配置されたリブは、隣接するリブ１１５間で引き起こされ得る変形の程度を抑制することによって、内側層１１４の層間剥離が任意の１つの場所に集中する傾向を最小限に抑えるのに役立ち得る。本明細書に記載される技術のいずれかは、層の層間剥離を制御するために、単独で又は組み合わせて使用されてもよい。例えば、内側層１１４及び外側層１１２は、弱結合を形成する不適合な材料から作製されてもよく、ボトル１００の特定の部分、例えば首部１２６及び基部１２２における層１１２、１１４、１１６は、層間剥離に抵抗するのに十分に厚く作製されてもよい。このようにして、層間剥離は、ボトル１００の所望の区域、例えば円筒形本体１２０においてのみ引き起こされるように行われ得る。上で考察されるように、剥離材料の選択的射出を使用して、内側層１１４と外側層１１２との間の結合を、所望の場合に、効果的に弱化することによって、外側層１１２からの内側層１１４の層間剥離の位置を制御することもできる。
【００３３】
いくつかの実施形態では、ボトル１００の外側形状を維持するのに更に役立つために、外側層１１２は、補強バンド１１３を含んでもよい（例えば、図６を参照）。補強バンド１１３は、外側層１１２の壁厚が増加された区域であり得る。増加された壁厚は、外側層１１２の外側表面から径方向外側に延在してもよいか（図６に示すように）、外側層１１２の内側表面から径方向内側に延在してもよいか、又は両方向に部分的に延在してもよい。いくつかの実施形態では、径方向内側補強バンド１１３が好ましい場合がある（例えば、外側層１１２の平滑な外側表面をもたらすため、及び金型から取り出すことがより容易であり得るため）。図６に示すように、補強バンド１１３のいくつかの実施形態は、ボトル１００の高さの一定の割合で延在してもよい。例えば、補強バンド１１３は、図６に示すように、ボトル１００の中心線の近く又はそれに沿って配設され、ボトル１００の中心線の上方及び下方に延在してもよい。補強バンド１１３の厚さ及び寸法は、外側層１１２の剛性を増大させるように構成されてもよく、したがって、所望の剛性を達成するために、必要に応じて修正されてもよい。補強バンド１１３の厚さは、補強バンド１１３が首部１２６及び基部１２２に向かって延在するにつれて、徐々にテーパ状になるか、又はより薄くなってもよい。補強バンド１１３の高さ（すなわち、その上部及び下部テーパ部の延在部間の距離）は、ボトル１００の高さの少なくとも５０％であってもよい。いくつかの実施形態では、外側層１１２は、内側層１１４上に見出されるリブ１１５と同様の任意のリブ特徴部、又は外側層１１２の円筒形状を補強するか、若しくは別の方法で変更するように機能する他のパネル特徴部を含まなくてもよい。
【００３４】
いくつかの実施形態では、ボトル１００は、ラベル１１７を含み得る。図７に示すように、ラベル１１７は、ボトル１００に保存された飲料に関するブランド又は広告を含んでもよい。実施形態では、ラベル１１７は、個別に製造され、接着剤及び／又は他の好適な方法の使用を通して、ボトル１００の外側表面に固定されてもよい。実施形態では、ラベル１１７の材料は、外側層１１２に補強を提供するように構成されてもよい。例えば、ラベル１１７は、外側層１１２の剛性よりも高い剛性を有するプラスチック材料から、又は外側層１１２と接触しているときに外側層１１２が変形に抵抗するのに役立つプラスチック材料から製造されてもよい。ラベル１１７のこれらの実施形態は、外側層１１２に固定されると、外側層１１２に追加の剛性及び補強を提供することができる。
【００３５】
いくつかの実施形態では、ボトル１００は、ガス導入システム２００を含む（例えば、図８、図１２を参照）。ガス導入システム２００は、飲料１０が、上昇した温度でボトル１００内に充填された後に収縮することにより、空間３０の容積が増加するにつれて、空間３０に追加のガスを供給するように構成されている。空間３０におけるガス圧力の低減がないことは、内側層１１４が、上記のように、内側に層間隔離及び変形するために、真空力を克服する必要がないことを意味する。いくつかの実施形態では、空間３０は、上昇した圧力でガスを含有することによって、外側層１１２に対して強化及び構造的支持を提供し得る。この構造的支持は、エンドユーザにとって向上された手触りを作り出すことができる。
【００３６】
いくつかの実施形態では、例えば図８に示すように、ガス導入システム２００は、外側層１１２を貫通する一連の通気開口部２１０を含む。これらの実施形態では、空間３０内のガスは、ボトルの外側の大気からの通常の空気である。通気開口部２１０は、空間３０の内側の空気が、空間３０の容積が増加するにつれて、大気圧を維持することを可能にする。通気開口部２１０は、貫通孔が空間３０にアクセスすることを可能にする外側層１１２のどこに位置してもよい。通気開口部２１０は、例えば、物理的ツール（例えば、ランス又はドリル）によって作製された正確な穿刺によって、又はレーザーによって形成されてもよく、そのような穿刺は、外側層１１２を通過するのみであり、内側層１１４を通過しない。いくつかの実施形態では、通気開口部２１０は、ボトル１００のユーザに対するそれらの視認性を低減するように設計され、位置する。例えば、通気開口部２１０は、ボトル１００が水平表面上に配置されたときに視界から見えにくくなるように、基部１２２上に位置してもよく、又はラベルによって被覆される領域内の本体１２０上に位置決めされてもよい。
【００３７】
いくつかの実施形態では、内側層１１４は、ボトル１００が飲料で充填される前に、通気開口部２１０を被覆又は閉鎖するように構成される。これらの実施形態では、内側層１１４は、通気開口部２１０から離れ、したがって空気が通気開口部２１０を通って空間３０に進入することを可能にし、それによって空間３０内の圧力を周囲圧力と等しくするように構成され得る。いくつかの実施形態では、通気開口部２１０は、成形プロセス中に相当な伸縮を経験するボトル１００のある領域内に位置してもよく、その領域は、ボトルの他の領域よりも比較的薄い。例えば、通気開口部２１０は、外側層１１２の材料が、高い総伸縮率を有する、外側層１１２の領域に（例えば、伸縮率が、外側層１１２の材料全体にわたる伸縮率の上位１０パーセンタイルにある、外側層１１２の領域に）位置してもよい。例えば、高温飲料でのボトル１００の充填によって引き起こされる、内側層１１４の加熱（例えば、そのガラス転移温度に近づき、場合によっては越える）時に、通気開口部２１０を被覆する内側層１１４の材料の薄層は、収縮し、次いで通気口２１０を破断開口してもよい（例えば、材料の加熱によって引き起こされる通気開口部２１０を取り囲む材料の熱配向反転に少なくとも部分的に起因する）。この制御された破断は、通気開口部２１０を取り囲む、外側層１１２及び内側層１１４の厚さを選択することによって微調整され得る。
【００３８】
いくつかの実施形態では、代替的に又は追加的に、内部容積２０内の圧力変化は、内側層１１４を、通気開口部２１０から離れて内側に移動させることができ（例えば、圧力変化、例えば熱収縮に起因して、内部容積２０内で）、それによって通気開口部２１０を破断開口する（例えば、内部容積２０とボトルの外側の大気との間の閾値圧力差に達したとき）。この圧力差は、ボトル１００が高温飲料で充填された後の内側層１１４の収縮によって引き起こされてもよいか、又はボトル１００に適用される外部真空源によって引き起こされ得る（例えば、ボトル１００が充填される前）。
【００３９】
いくつかの実施形態では、飲料１０の冷却が完了した後、通気開口部２１０は、密封又は被覆されてもよい（例えば、通気開口部２１０の周囲に付着されたラベルの適用によって。
【００４０】
いくつかの実施形態では、通気開口部２１０は、ボトル１００の上部付近（例えば、首部１２６内）に配設されてもよい。図９は、２つのプリフォームの断面図を示す。内側プリフォーム３００（内側層１１４に対応）、及び外側プリフォーム４００（外側層１１２に対応）。通気開口部２１０の例は、図９において、内側プリフォーム３００と外側プリフォーム４００との間に作り出される。いくつかの実施形態では、内側プリフォーム３００は、外側プリフォーム４００の通気構造体２１６と嵌合して、内側プリフォーム３００及び外側プリフォーム４００が一緒に組み立てられたときに通気開口部２１０及び対応する通気路２１２を形成する通気構造体２１４を有する（図１１を参照）。
【００４１】
また、図９で視認可能であるのは、内側プリフォーム３００の内壁上のリブ１１５である。図１０Ａ及び図１０Ｂは、それぞれ、図９の内側プリフォーム３００及び外側プリフォーム４００の上面図である。通気開口部２１０は、図１０Ｂにおいて視認可能である。いくつかの実施形態では、ボトル１００は、各一対のリブ１１５の間に少なくとも１つの通気開口部２１０が存在するように、径方向に整列された内側プリフォーム３００及び外側プリフォーム４００から形成されてもよく、したがって、各一対のリブ１１５の間の空間は、少なくとも１つの通気開口部２１０を通って通気される。これは、上で考察されるように、内部真空に曝されるときに、完成したボトル１００の内側層１１４と外側層１１２との間の空間３０の均等な分配を促進するのに役立ち得る。
【００４２】
例えば、図９及び図１０Ａ〜図１０Ｂに示されるように、各一対のリブ１１５の間の空間３０に対応する単一の通気開口部２１０が存在してもよい。一例として、等しい数のリブ１１５及び通気開口部２１０（例えば、図９及び図１０Ａ〜図１０Ｂに示されるように、各々の６つ）を有する実施形態では、外側プリフォーム４００及び内側プリフォーム３００は、各通気開口部２１０が２つの隣接するリブ１１５の間に配設されるように、共有中心軸を中心に回転整列されてもよい。図９及び図１０Ａ〜図１０Ｂに示される実施形態の通気経路２１２は、図１１に例示されており、図１１は、それらが組み立てられた時点の図９のプリフォームの上部の断面図であり、この断面は、組み立てられた外側プリフォーム４００及び内側プリフォーム３００の共有中心軸を中心に、互いに向かい合って配設された通気開口部２１０を通る。明らかなように、通気経路２１２は、リブ区画３２を周囲雰囲気に接続する。
【００４３】
いくつかの実施形態では、通気孔は、開口部１２８により近い外側層１１２から出ることができ（例えば、ねじ山を通って、ねじ山の間を、開封明示形成部を通って、フランジを通って）、したがって、キャップ１３０がボトル１００上にねじ込まれたときに、キャップ１３０によって被覆される。
【００４４】
いくつかの実施形態では、例えば、図１２に示すように、ガス導入システム又は機構２００は、代替的に又は追加的に、層間剥離することになる層の間に配設されたガス生成器２２０を含んでもよい。ガス生成器２２０は、トリガイベントが発生すると、ガスを生成するように設計されている。例えば、トリガイベントは、空間３０内の圧力が、特定の閾値を下回る（例えば、上記のように飲料１０の熱収縮に起因して）ときであってもよい。トリガイベントはまた、温度の変化（例えば、上記のように飲料１０の冷却によって引き起こされる）であってもよい。いくつかの実施形態では、ガス生成器２２０は、化学反応を通じて、ガスを生成し得る。化学反応のための基礎材料は、空間３０内に位置してもよく、いくつかの実施形態では、材料は、層１１２、１１４、１１６のうちの１つの表面に取り付けられ（例えば、外側層１１２の内側表面に取り付けられ）てもよい。
【００４５】
いくつかの実施形態では、外側層１１２は、ガス導入システム２００として機能するように構成されてもよい。例えば、外側層１１４は、必要に応じて、ガス粒子が、空間３０に進入及びそこから出ることを可能にするように構成されてもよい。外側層１１２は、例えば、多孔質材料から作製されてもよく、それは、外側層１１２が形成されるプラスチック材料にキャビテーション添加剤を添加することによって形成され得る。このようにして、空間３０内のガス圧力は、外側層１１２の外側に見出される周囲ガス圧力と等しくなり得る。
【００４６】
ボトル１００の実施形態は、いくつかの異なる方法を使用して製造することができる。単一のプリフォーム方法では、外側層１１２、内側層１１４、及び任意の中間層１１６のプラスチック材料は、プリフォーム金型に同時に射出される。層の射出後、プリフォームを適切な形状の雌型に挿入し、加熱された空気をプリフォームに吹き込むことによって、得られたプリフォームを所望のボトル形状に膨張させることができる。多段のプリフォーム方法では、少なくとも外側層１１２及び内側層１１４は、別個のプリフォーム金型を使用して製造される。次いで、内側層１１４は、外側層１１２に挿入される。次いで、内側層１１４及び外側層１１２は、接着剤又はプラスチック溶接を含む任意の好適な方法によって、互いに固定される。
【００４７】
飲料の冷却の間の飲料容器の変形を制御する方法は、高温飲料でボトル１００を充填することと、ボトル１００を密封することと、を含む。飲料が冷却されるにつれて、飲料は、冷却時に熱収縮を受ける。少なくとも内側層１１４は、外側層１１２から分離し、したがって、内側層１１２は、ボトル１００の層のうちの外側層１１４から離れて内側に移動して、飲料の熱収縮に応答して、ボトル１００の内部容積を低減させる。
【００４８】
本開示の幅広さ及び範囲は、上述の例示的な実施形態のいずれによっても限定されるべきではなく、特許請求の範囲、及びそれらの等価物に従ってのみ定義されるべきである。
【図１】
2021533039.tif 000003
【図２】
2021533039.tif 000004
【図３】
2021533039.tif 000005
【図４】
2021533039.tif 000006
【図５】
2021533039.tif 000007
【図６】
2021533039.tif 000008
【図７】
2021533039.tif 000009
【図８】
2021533039.tif 000010
【図９】
2021533039.tif 000011
【図１０Ａ】
2021533039.tif 000012
【図１０Ｂ】
2021533039.tif 000013
【図１１】
2021533039.tif 000014
【図１２】
2021533039.tif 000015
【国際調査報告】
2021533039.tif 000016
2021533039.tif 000017
2021533039.tif 000018